(57)【要約】【課題】  建築物の美観を保った状態で、建築物用の化粧材を、建築物の躯体に対し、着脱可能に取り付けることを可能にする。【解決手段】  建築物の躯体１に取り付けられる化粧材３０と、この化粧材３０を躯体１に取り付けるための取付部材２０とを備えた化粧材３０とその取付部材２０であり、以下の特徴を有する。取付部材２０は、躯体１に固定される固定部２１１と、化粧材３０を係止する係止部２１４とを有する。化粧材３０は、取付部材２０を被覆する形状を有するとともに、裏面３２に前記取付部材２０に係止される弾性変形可能な被係止部材４０が取り付けられ、この弾性変形により、被係止部材４０の当接部４２２と係止部２１４との係止が解除される。【選択図】      図１
2005220713.tif 000002
【特許請求の範囲】
【請求項１】
建築物の躯体に取り付けられる化粧材と、この化粧材を前記建築物の躯体に取り付けるための取付部材とを備え、
前記取付部材は、前記躯体に固定される固定部と、前記化粧材を前記躯体に固定すべく前記化粧材を係止する係止部とを有し、
前記化粧材は、前記取付部材の係止部を被覆する形状を有するとともに、
この化粧材の裏側に前記係止部に係止される被係止部が設けられ、
前記被係止部及び前記係止部のうち、少なくとも一方が当該係止を解除する方向に弾性変形すべく前記化粧材の外部からの操作を可能にする構成とされた
ことを特徴とする化粧材とその取付部材。
【請求項２】
請求項１記載の化粧材とその取付部材において、
前記取付部材には、前記係止部と前記被係止部との係止状態を維持するようにこの取付部材に対する前記化粧材の相対移動を阻止する固定補助部が設けられた
ことを特徴とする化粧材とその取付部材。
【請求項３】
請求項１又は２記載の化粧材とその取付部材において、
前記化粧材は、前記係止部又は前記被係止部の弾性変形可能な部分に対し外力を加えるための工具を前記化粧材の裏側に挿入することが可能な形状を有する
ことを特徴とする化粧材とその取付部材。
【請求項４】
請求項３記載の化粧材とその取付部材において、
前記化粧材に前記被係止部を外側から囲む壁が形成され、
その壁に前記工具が挿通可能な挿通部が設けられた
ことを特徴とする化粧材とその取付部材。
【請求項５】
請求項３又は４記載の化粧板とその取付部材において、
前記被係止部及び前記係止部のうち少なくとも一方は、前記工具によって押されることにより、前記被係止部と前記係止部との係止を解除する方向に弾性変形することが可能である構成とされた
ことを特徴とする化粧材とその取付部材。
【請求項６】
請求項１〜５のいずれか１項に記載の化粧材とその取付部材において、
前記被係止部は、前記化粧材の裏側に弾性変形可能な部材が取り付けられることにより形成された
ことを特徴とする化粧材とその取付部材。
【請求項７】
請求項１〜６のいずれか１項に記載の化粧材とその取付部材において、
前記取付部材の一端側には、前記係止部が形成されるとともに、
他端側には、前記係止部から被係止部が離脱する向きに前記化粧材が回動する際の支点となるように前記化粧材の端部を係止する支点部が形成された
ことを特徴とする化粧材とその取付部材。
【請求項８】
請求項１〜７のいずれか１項に記載の化粧材とその取付部材を用いた化粧板の取付構造において、
前記固定部材の固定部が前記躯体に固定され、前記化粧板の被係止部が前記取付部材の係止部に係止されることにより、
前記化粧材が、前記取付部材に対し着脱可能な状態で固定された
ことを特徴とする取付構造。
【発明の詳細な説明】
【技術分野】
【０００１】
本発明は、建築用の躯体に取り付けるための化粧材とその取付部材、及び、前記化粧材を前記躯体に取り付けるための取付構造に関するものである。
【背景技術】
【０００２】
建築物の化粧材として、例えば一階部分の躯体と二階部分との間に生ずる隙間を隠す目的で施工させるもの等が知られている。このような化粧材を建築物に取り付けるための構造としては、例えば、特許文献１に記載されたものが存在する。
【０００３】
この構造は、図８に示すとおり、一階躯体１０１、及び、一階躯体１０１と二階躯体１０２との間に形成された隙間１０３にまたがるように取付具１１０が配置され、この取付具１１０に化粧材１２０が隙間１０３を覆うように固定されることにより、この化粧材１２０が隙間１０３を覆った状態で取付具１１０を介して一階躯体１０１に固定され、化粧材１２０と二階躯体１０２との間に形成された間隙にシール材１３０が配置されることにより、一階躯体１０１と二階躯体１０２との間に形成された隙間１０３に雨水などが浸入することが阻止されている。
【０００４】
取付具１１０には、上下方向に配置されるベース部１１１と、上端に配置される当接面１１２と、略中央部分に配置され、水平方向かつ外側に向けて突出する受入部１１３とが形成されており、この受入部１１３の先端には、後述する突出部１２２を係止するための係止部１１４が形成されている。
【０００５】
化粧材１２０には、取付具１１０を外部空間に露出することを防止し、建築物外部からの美観を保つための被覆部１２１が形成されるとともに、この被覆部１２１内には取付具１１０の受入部１１３に係止される突出部１２２が形成され、この突出部１２２の先端には、前記係止部１１４に係止するための係止部１２３が形成されている。
【０００６】
そして、ベース部１１１と一階躯体１０１とがビス１４１によって固定されることにより、取付具１１０が一階躯体１０１に対し固定されている。
【０００７】
また、突出部１２２が受入部１１３に嵌め込まれて化粧材１２０が仮係止された状態でビス１４２が当接面１１２のねじ孔にねじ込まれることにより、化粧材１２０が取付具１１０に対し本格的に固定されている。
【特許文献１】特許３４３９７１４号公報（第３頁、第１図）
【発明の開示】
【発明が解決しようとする課題】
【０００８】
外壁材の補修等や、シール材１３０を取り替える場合等においては、化粧材１２０を取り外した状態で行うことが好ましいため、化粧材１２０は、一階躯体１０１、二階躯体１０２等の建築物の躯体に対し繰り返して着脱できる状態で取り付けられることが望まれている。
【０００９】
しかしながら、従来の構造であると、化粧材１２０を前記躯体から取り外す際、その都度化粧材１２０と取付具１１０とを固定しているビス１４２を取り外す必要があるが、かかる取り外し作業を繰り返し行うと、化粧材１２０においてビス１４２がねじ込まれる箇所が破壊されるおそれが大きく、再度この箇所にビス１４２を挿入して化粧材１２０を取付具１１０に固定することが困難であり、化粧材１２０と取付具１１０との着脱を円滑におこなうことが困難である。
【００１０】
また、突出部１２２と受入部１１３との係止状態も解除する必要があるが、突出部１２２が被覆部１２１内で受入部１１３に対し係止、すなわち、突出部１２２と受入部１１３との係止部分は化粧材１２０で覆われた状態となっているため、直接的に前記係止部分に対し外力を加えることが出来ず、この係止状態を解除することが困難である。さらに、この係止状態の解除を無理に行うと、突出部１２２の係止部１２３や受入部１１３の係止部１１４が破壊されるおそれがあり、再度突出部１２２を受入部１１３に係止させることができないおそれがある。
【００１１】
したがって、係止部１１４と係止部１２３との係合は、わずかの外力ですぐに外れる程度のものにせざるを得ず、例えば、ビス１４２による固定をなくしてこの係合のみで化粧材１２０を取付具１１０に対して固定することは極めて困難であった。
【００１２】
以上より、前記構成では、前記化粧材１２０を前記躯体に対し円滑に着脱させることが困難であった。
【００１３】
そこで本発明は、建築物外部からの美観を保つべく前記化粧材と前記取付部材との固定部分を前記化粧材で隠蔽した状態で、前記化粧材を前記躯体に対し円滑に着脱することができる化粧材とその取付部材、及び、取付構造を提供することを目的とする。
【課題を解決するための手段】
【００１４】
請求項１記載の発明は、建築物の躯体に取り付けられる化粧材と、この化粧材を前記建築物の躯体に取り付けるための取付部材とを備え、前記取付部材は、前記躯体に固定される固定部と、前記化粧材を前記躯体に固定すべく前記化粧材を係止する係止部とを有し、前記化粧材は、前記取付部材の係止部を被覆する形状を有するとともに、この化粧材の裏側に前記係止部に係止される被係止部が設けられ、前記被係止部及び前記係止部のうち、少なくとも一方が当該係止を解除する方向に弾性変形すべく前記化粧材の外部からの操作を可能にする構成とされたことを特徴とする化粧材とその取付部材である。
【００１５】
請求項２記載の発明は、請求項１記載の化粧材とその取付部材において、前記取付部材には、前記係止部と前記被係止部との係止状態を維持するようにこの取付部材に対する前記化粧材の相対移動を阻止する固定補助部が設けられたことを特徴とする。
【００１６】
請求項３記載の発明は、請求項１又は２記載の化粧材とその取付部材において、前記化粧材は、前記係止部又は前記被係止部の弾性変形可能な部分に対し外力を加えるため工具を前記化粧材の裏側に挿入することが可能な形状を有することを特徴とする。
【００１７】
請求項４記載の発明は、請求項３記載の化粧材とその取付部材において、前記化粧材に前記被係止部を外側から囲む壁が形成され、その壁に前記工具が挿通可能な挿通部が設けられたことを特徴とする。
【００１８】
請求項５記載の発明は、請求項３又は４記載の化粧板とその取付部材において、前記被係止部及び前記係止部のうち少なくとも一方は、前記工具によって押されることにより、前記被係止部と前記係止部との係止を解除する方向に弾性変形することが可能である構成とされたことを特徴とする。
【００１９】
請求項６記載の発明は、請求項１〜５のいずれか１項に記載の化粧材とその取付部材において、前記被係止部は、前記化粧材の裏側に弾性変形可能な部材が取り付けられることにより形成されたことを特徴とする。
【００２０】
請求項７記載の発明は、請求項１〜６のいずれか１項に記載の化粧材とその取付部材において、前記取付部材の一端側には、前記係止部が形成されるとともに、他端側には、前記係止部から被係止部が離脱する向きに前記化粧材が回動する際の支点となるように前記化粧材の端部を係止する支点部が形成されたことを特徴とする。
【００２１】
請求項８記載の発明は、請求項１〜７のいずれか１項に記載の化粧材とその取付部材を用いた化粧板の取付構造において、前記固定部材の固定部が前記躯体に固定され、前記化粧板の被係止部が前記取付部材の係止部に係止されることにより、前記化粧材が、前記取付部材に対し着脱可能な状態で固定されたことを特徴とする。
【発明の効果】
【００２２】
請求項１記載の発明の構成を採ると、前記化粧材は、前記取付部材の係止部を被覆する形成を有するとともに、この化粧材の裏側に前記係止部に係止される被係止部が設けられているため、前記被係止部と前記係止部とは前記化粧材で被覆する、すなわち隠蔽することが可能となる。
【００２３】
しかも、前記被係止部及び前記係止部のうち、少なくとも一方が当該係止を解除する方向に弾性変形すべく、前記化粧材の外部からの操作を可能にする構成とされているため、前記化粧材の外部からの操作で前記係止部又は前記被係止部を弾性変形させることにより、前記化粧材の被係止部と前記取付部材の係止部との係止を解除することが可能となり、前記係止を円滑に解除することが出来、前記化粧材を前記躯体から円滑に取り外すことが可能となる。
【００２４】
さらに、前記係止部と前記被係止部との係止は、前記係止部又は前記被係止部の弾性復帰力を利用して行うことが出来るため、前記係止部と前記被係止部との係止力について前記化粧材を前記躯体に対し固定するのに充分な力を得ることが可能になる。
【００２５】
すなわち、前記化粧材を前記躯体に固定するのに充分な固定力を確保しつつも、前記化粧材を前記躯体から円滑に取り外すことが可能となり、前記化粧材を躯体に対し円滑に着脱することが可能となる。
【００２６】
請求項２記載の発明の構成を採ると、前記取付部材に、前記係止部と前記被係止部との係止状態を維持するように前記化粧材が前記取付部材に対し相対移動することを阻止する固定補助部が設けられているため、前記取付部材による前記化粧材の係止が外れてしまうのをより確実に防止することが可能となる。よって、前記化粧材と前記躯体との固定をより確実に行うことが可能となる。
【００２７】
なお、前記係止部又は前記被係止部に弾性変形を加えるための部材を前記化粧材に取り付けることによって前記弾性変形を行う構成してもよいが、請求項３記載の発明の構成のように、前記係止部又は前記被係止部の弾性変形可能な部分に対し外力を加えるための工具を前記化粧材の裏側に挿入することを可能とする形状に前記化粧材を形成すれば、外部からの前記係止部又は前記被係止部の操作を簡単な構造で実現することが可能となる。
【００２８】
請求項４記載の発明の構成を採ると、前記化粧材で前記被係止部を囲む壁が形成されているため、前記被係止部をより確実に被覆することが可能となり、この建築物の美観をさらに向上させることが可能となる。
【００２９】
また、前記被係止部及び前記係止部のうち少なくとも一方は、前記工具によって引っ張られることにより、前記被係止部と前記係止部との係止を解除する方向に弾性変形するように構成することも可能であるが、請求項５のように、前記被係止部及び前記係止部のうち少なくとも一方は、前記工具によって押されることにより、前記被係止部と前記係止部との係止を解除する方向に弾性変形するように構成すれば、より簡単な操作で前記被係止部又は前記係止部を弾性変形させることが可能となる。
【００３０】
請求項６記載の発明の構成を採ると、前記被係止部は、前記化粧材の裏側に弾性変形可能な部材が取り付けられることにより形成されているため、前記化粧材のうち、前記被係止部以外の部分については、必ずしも弾性変形する素材を用いて形成する必要がなくなる、すなわち様々な素材を用いて形成することが可能となり、前記化粧材の素材を用途に応じて使い分けることが可能となる。
【００３１】
請求項７記載の発明の構成を採ると、前記取付部材の他端側には、前記係止状態が解除された状態において前記化粧材が移動する支点となる状態で前記化粧材を係止する支点部が形成されているため、前記係止状態の解除は、前記化粧材を前記支点部を中心に回転させながら行うことが可能、すなわち前記化粧材は前記支点部に係止された状態で前記係止状態を解除することが可能であり、前記取付部材から前記化粧材を外す操作をより円滑に行うことができる。
【００３２】
さらに、前記化粧材の被係止部を前記取付部材の係止部に対し係止する場合、前記支点部に前記化粧材を係止させて前記支点部を中心に前記化粧材を回転させることで、前記被係止部を前記係止部に係止させることができるため、わざわざ前記被係止部と前記係止部との位置合わせを行う必要がない。
【００３３】
したがって、前記化粧材を前記取付部材に対し円滑に着脱することができ、前記化粧材を前記躯体に対し円滑に着脱することが可能となる。
【００３４】
請求項８記載の発明の構成を採ると、前記固定部材の固定部が前記躯体に固定され、前記化粧板の被係止部が前記取付部材の係止部に係止されることにより、前記化粧部が、前記取付部材に対し着脱可能な状態で固定されているため、前記化粧材を前記取付部材に対し円滑に着脱させることが可能となる。
【発明を実施するための最良の形態】
【００３５】
本発明の実施の形態につき、図１〜図７を用いて説明する。
【００３６】
第一実施形態（図１〜図６参照）
まず、図１を用いて、本実施形態にかかる化粧材の取付構造について説明する。
【００３７】
建築物の躯体１（例えば、柱等）の外側面には、ビス１０によって取付部材２０が固定され、この取付部材２０には化粧材３０が取り付けられている。化粧材３０には、取付部材２０に対し係止される被係止部材４０が固定され、躯体１と化粧材３０との間に存在する間隙のうち、上側（図１においても上側）に位置する部分には、化粧材３０に仮止めされたシール材５０が配置されている。
【００３８】
取付部材２０は、ステンレス鋼等の金属材料で全体が板状に形成され、図２（ａ）、（ｂ）に示すように、躯体１に固定される本体部２１と、化粧材３０が嵌合される固定補助部２２とを備えている。
【００３９】
本体部２１は、図２（ａ）において左右方向に延びる略一様の断面を有する形状に形成されている。この断面は略コノ字の形状に形成されており、躯体１に対してビス止めされる固定部２１１と、固定部２１１のうち、図において上下方向の両端部分から、固定部２１１と略垂直をなす角度に延設された端部２１２、２１３とで構成されている。
【００４０】
端部２１２、２１３のうち、一端側２１２の端部には、端部２１２と略垂直をなして前記被係止部材４０を係止する係止部２１４が内向き（図２（ａ）、（ｂ）では上向き）に突設されている。
【００４１】
また、他端側２１３の端部には、端部２１３と略垂直をなして化粧材３０を係止する支点部２１５が外向き（図２（ａ）、（ｂ）では上向き）に突設されている。
【００４２】
さらに、固定部２１１には、前記ビス１０を挿入するためのビス孔２１６が複数箇所に形成されている。
【００４３】
固定補助部２２は、図２（ａ）において左右方向に延びる略一様の断面を有する形状に形成されている。この断面は略コノ字の形状に形成されており、固定部２１１に固定される固定部２２１と、固定部２２１のうち、図において上下方向の両端部分から、図において略水平方向に突出した挟持部２２２、２２２とで構成されている。
【００４４】
挟持部２２２、２２２は、後述する嵌合突起３５を上下両側から挟持するものであって、これら挟持部２２２同士の間隔は、先端側に向けて徐々に狭くなっている。さらに、その挟持部２２２の先端は、嵌合突起３５を挟持部２２２間に挿入しやすくするため、各々外方に向けてカーブしている。
【００４５】
化粧材３０は、主にセメント等の素材によって扁平な略四角柱状に形成されている。図３に示すように化粧材３０の表面３１は、略平面状に形成されており、化粧材３０の裏面３２には取付部材２０を収納すべく凹む形状に収納部３３が形成されている。収納部３３は、両側に側壁３９ａ、３９ｂを有するとともに、この収納部３３内には、前記被係止部材４０に嵌合されるように突出した取付部３４と、前記固定補助部２２に嵌合されるように突出した嵌合突起３５とが、一定間間隔を隔てて形成されている。すなわち、側壁３９ａと取付部３４との間には第一収納部３３１が形成され、取付部３４と嵌合突起３５との間には第二収納部３３２が形成され、嵌合突起３５と側壁３９ｂとの間には第三収納部３３３が形成されている。
【００４６】
一方の側壁３９ａには、貫通孔３６（挿通部）が形成され、この貫通孔３６が第一収納部３３１の内部と化粧材３０の外部空間とを連通している。
【００４７】
他方の側壁３９ｂには、取付部材２０の支点部２１５に係止される回転中心部３７が突設されている。
【００４８】
被係止部材４０は、撓み変形（弾性変形）可能な薄肉の金属版により形成され、図４（ａ）、（ｂ）に示すように、一様断面を有して一方向（図４（ｂ）において左右方向）に延びる形状を有する本体部４１と、この本体部４１の図における下端から下方に向けて延設されたアーム４２（被係止部）とを備えている。
【００４９】
本体部４１は、略コノ字の断面形状を有し、前記化粧材３０の取付部３４の先端が当接する当接部４１１と、当接部４１１の図における両端部分から、この当接部４１１と略垂直をなす角度に延設された挟持部４１２、４１２とを備えている。挟持部４１２は、前記取付部３４を上下両端から挟持することにより被係止部材４０を化粧材３０に対し固定するものであり、その先端側においての挟持部４１２同士の間隔は、取付部３４を挟持部４１２間に挿入しやすくするため、先端部分に向けて広がっている。
【００５０】
アーム４２は、本体部４１の当接部４１１の長さ方向における略中央部の下端部から延設されており、外力が加えられることによって上下方向に撓み変形する弾性変形部４２１と、前記取付部材２０の係止部２１４に対し係止される当接部４２２と、この係止部２１４の先端に圧接する圧接部４２３とを備えている。
【００５１】
弾性変形部４２１は、挟持部４１２が延びる方向（図４（ａ）においては左側）に先端側が向く状態で略１／４の円弧の形状に形成され、外力が加えられることにより、この円弧の部分が弾性的に撓み変形するものになっている。また、当接部４２２は、弾性変形部４２１の先端から前記円弧の中心部分に向けて突出するように形成されており、圧接部４２３は、当接部４２２の先端から、挟持部４１２が延びる方向と略同じ方向（図４（ａ）においては左側）に向けて延びるように形成されている。
【００５２】
以下、図１に戻って、化粧材３０の取付構造の続きを説明する。
【００５３】
図１は、化粧材３０が取付部材２０に既に取り付けられた状態を示している。この状況において、化粧材３０の回転中心部３７が取付部材２０の支点部２１５よりも内側（図１において右側）に回り込み、この回転中心部３７が支点部２１５に対し当接することにより、回転中心部３７が支点部２１５に対し係止され、この係止により、化粧材３０の上部が取付部材２０から外れることが阻止されている。
【００５４】
また、固定補助部２２内に嵌合突起３５が嵌合され、嵌合突起３５が固定補助部２２の挟持部２２２に挟持されていることにより、化粧材３０の上部が図において上下方向に移動することが阻止されている。
【００５５】
さらに、化粧材３０の取付部３４が被係止部材４０の本体部４１に嵌合され、取付部３４が挟持部４１２に挟持されることにより、被係止部材４０が化粧材３０に対し固定されている。
【００５６】
被係止部材４０と取付部材２０との位置関係について説明すると、まず、被係止部材４０の当接部４２２が、取付部材２０の係止部２１４よりも内側（図において右側）かつ係止部２１４に当接可能なように配置されていることにより、当接部４２２が係止部２１４から外側（図において左側）に移動することを阻止するように係止されている。
【００５７】
さらに、被係止部材４０の圧接部４２３は、弾性変形部４２１から得られる弾性復帰力により当接部２１８の先端に圧接されている。この圧接により、当接部４２２が係止部２１４の上端を乗り越えて係止部２１４よりも外側（図において左側）に移動し、当接部４２２と係止部２１４との係止が外れることが阻止されている。
【００５８】
また、係止部２１４の先端に圧接部４２３が取付部材２０の係止部２１４に対し係止されることにより、化粧材３０の下部が取付部材２０から外れることが阻止されている。
【００５９】
またさらに、外力によって弾性変形部４２１が円弧の略中心方向に向けて弾性変形されることにより、当接部４２２及び圧接部４２３が係止部２１４の先端よりも上側に移動し、この移動により、当接部４２２と係止部２１４との係止を外すことが可能になっている。
【００６０】
すなわち、化粧材３０の裏面３２に形成された収納部３３（図３参照）内に取付部材２０及び被係止部材４０が収納された状態、つまり、取付部材２０及び被係止部材４０が側壁３９ａ、３９ｂに囲まれることにより化粧材３０に被覆された状態で、化粧材３０が取付部材２０に固定されている。
【００６１】
以下、図５（ａ）、（ｂ）を用いて、取付部材２０を躯体１から取り外す手順について説明する。
【００６２】
まず、図５（ａ）に示すとおり、把持部６１と軸部６２とを有するドライバー６０（工具）の軸部６２を化粧材３０の外部から貫通孔３６に挿入し、この軸部６２の先端を被係止部材４０の圧接部４２３に当接させる。そして、この軸部６２の挿入を続けることにより、圧接部４２３を軸部６２の挿入方向に押しこみ、その押圧方向に弾性変形部４２１を撓み変形、すなわち弾性変形させることにより被係止部材４０の当接部４２２と取付部材２０の係止部２１４との係止を解除する。
【００６３】
次に、図５（ｂ）に示すとおり、ドライバー６０の押し込み操作により係止解除状態を維持したまま、このドライバー６０を取っ手代わりにして化粧材３０の回転中心部３７と取付部材２０の支点部２１５との係止部分を支点として化粧材３０を前記被係止部材４０が取付部材２０の端部２１２から離れる方向に回転させることにより、被係止部材４０の下部を取付部材２０から取り外すとともに、その操作力によって嵌合突起３５も固定補助部２２から強制的に離脱させる。その後、化粧材３０の位置を上側にずらして、回転中心部３７と支点部２１５との係止を解除することにより、化粧材３０を躯体１及び取付部材２０から取り外す。
【００６４】
取付部材２０を躯体１に取り付ける手順については、まず、図６（ａ）に示すとおり、化粧材３０の回転中心部３７を取付部材２０の支点部２１５に係止させる。
【００６５】
次に、この回転中心部３７を中心として化粧材３０を取付部材２０に近づける方向に回転させる。
【００６６】
この動作を行うと、弾性変形部４２１が係止部２１４の先端に接触するが（図示せず。）、この時点で前記回転を継続することにより、弾性変形部４２１がカーブ中心方向に弾性変形し、この弾性変形により、弾性変形部４２１は係止部２１４を通過することが可能となる。
【００６７】
さらに、この回転を維持することにより、この弾性変形部４２１が係止部２１４を通過し、この通過が終了したとき、弾性変形部４２１が前記弾性変形状態から弾性復帰し、圧接部４２３が係止部２１４の先端に圧接される。
【００６８】
このとき、図６（ｂ）に示すとおり、化粧材３０の嵌合突起３５は固定補助部２２に嵌合され、当接部４２２は係止部２１４に係止される。すなわち、化粧材３０が躯体１及び取付部材２０に対して固定される。
【００６９】
以上の構成をとれば、取付部材２０及び被係止部材４０は、化粧材３０の側壁３９ａ、３９ｂに被覆されているため、取付部材２０及び被係止部材４０が外部から見えることが略確実になくなり、建築物の美観を保つことが可能となる。
【００７０】
しかも、取付部材２０の係止部２１４と被係止部材４０の当接部４２２との係止は、貫通孔３６からドライバー６０の軸部６２を挿入して弾性変形部４２１を弾性変形させることにより解除することが可能であるため、被係止部材４０が化粧材３０の裏側に隠れているにもかかわらず、この係止を解除する際に取付部材２０、化粧材３０、被係止部材４０の破壊等を伴うことなく、前記係止を円滑に解除することが出来、化粧材３０を取付部材２０及び躯体１から円滑に取り外すことが可能となる。
【００７１】
さらに、被係止部材４０の圧接部４２３が、弾性変形部４２１の弾性復帰力を利用して取付部材２０の係止部２１４に対し圧接されており、この圧接により、係止部２１４と当接部４２２との係止が外れることが阻止されているため、化粧材３０を躯体１に対し固定するのに充分な係止力を得ることが可能になる。
【００７２】
すなわち、建築物の美観を損ねない状態で、化粧材３０を躯体１に対し固定するのに充分な固定力を確保しつつも、化粧材３０を取付部材２０及び躯体１から円滑に取り外すことが可能となり、化粧材３０を躯体１に対し円滑に着脱することが可能となる。
【００７３】
また、前記嵌合突起３５と本体部２１との嵌合によって化粧材３０の図１における上下方向の移動が阻止され、この阻止によって取付部材２０の係止部２１４に対する被係止部材４０の当接部４２２の上下方向の相対変位が維持されることにより両部分の係合状態がより確実に維持され、化粧材３０と躯体１との固定をより確実に行うことが可能となる。
【００７４】
さらに、化粧材３０には、前記係止を解除するためのドライバー６０を挿入するための貫通孔３６が形成されているため、前記係止を解除するための外部からの操作を簡単な構造で実現することが可能となる。
【００７５】
また、前記係止は、ドライバー６０に押されることにより解除されるため、簡単な操作で前記係止を解除することが可能となる。
【００７６】
さらに、被係止部に相当するアーム４２は、弾性変形が可能な被係止部材４０に形成されているため、化粧材３０に用いる素材を必ずしも弾性変形可能な素材にする必要がなく、様々な素材を用いて形成することが可能となる、したがって、化粧材３０を、用途に応じて様々な素材で形成することが可能となる。
【００７７】
さらに、前記係止の解除は、化粧材３０の回転中心部３７を取付部材２０の支点部２１５に係止させた状態で、回転中心部３７と化粧材３０との係止部分を支点に化粧材３０を回転させながら行うことが可能、すなわち化粧材３０が取付部材２０の支点部２１５に係止された状態で行うことが可能であるため、化粧材３０が取付部材２０からいきなり外れたりすることがなく、取付部材２０から化粧材３０を外す操作をより円滑に行うことができる。
【００７８】
さらに、当接部４２２を係止部２１４に対し係止する場合、支点部２１５に回転中心部３７を係止させ、この回転中心部３７を中心に化粧材３０を回転させることで、当接部４２２を係止部２１４に係止させることができるため、わざわざ当接部４２２と係止部２１４との位置合わせを行う必要がない。
【００７９】
したがって、化粧材３０を取付部材２０に対し円滑に着脱することができ、化粧材３０を躯体１に対し円滑に着脱することが可能となる。
【００８０】
以下において他の実施形態について説明する。なお、前記実施形態と同構成のものについては、同一符号を付すのみとし、その詳細な説明は省略する。
【００８１】
第二実施形態（図７参照）
本実施形態は、建築物のコーナー部分の躯体１に化粧材を固定するための構造である。
【００８２】
本実施形態の躯体１は、二種類の化粧材３０Ａ，３０Ｂが取り付けられ、前記コーナー部分の一方の面には化粧材３０Ａが、他方の面には化粧材３０Ｂが取り付けられている。
【００８３】
化粧材３０Ａについて、前記化粧材３０と異なる点のみを以下に説明する。
【００８４】
裏面３２に形成された収納部３３の内部には、前述の取付部３４、嵌合突起３５が形成されていることに加え、嵌合突起３５と側壁３９ｂとの間に突出する突起部３８が形成さされている。すなわち、前記第三収納部３３３は、突起部３８によって二つに仕切られている。
【００８５】
化粧材３０Ｂについて、化粧材３０Ａと異なる点についてのみ説明すると、化粧材３０Ａは、化粧材３０と同様、側壁３９ａに貫通孔３６が形成されているのに対し、化粧材３０Ｂは側壁３９ａが形成されていない。すなわち、第一収納部３３１の一端は開口されている。そして、この開口する部分には、化粧材３０Ａの側壁３９ｂが入り込み、３０Ａと化粧材３０Ｂとの間に形成される間隙は、シール材５１が配置されていることにより塞がれている。なお、このシール材５１は、化粧材３０Ａ又は化粧材３０Ｂに、接着剤等で仮止めされている。
【００８６】
このような化粧材３０Ａ、３０Ｂを取付部材２０から取り外す場合、まず、化粧材３０Ａの貫通孔３６に前記ドライバー６０の把持部６１を差し込み、化粧材３０の場合と同様、係止部２１４と当接部４２２との係止を解除し、化粧材３０Ａを取付部材２０から取り外す。
【００８７】
この化粧材３０Ａを取付部材２０から取り外すことにより、化粧材３０Ｂの前記開口部分が外部に露出し、ドライバー６０等を第一収納部３３１内に挿入することが可能となる。
【００８８】
次に、化粧材３０Ｂの第一収納部３３１の開口部分から前記ドライバー６０や手等を差込んで圧接部４２３を前記差し込み方向に押しこみ、弾性変形部４２１を弾性変形させることにより被係止部材４０の当接部４２２と取付部材２０の係止部２１４との係止を解除し、化粧材３０Ｂを取付部材２０から取り外す。
【００８９】
また、化粧材３０Ａ、３０Ｂを取付部材２０に取り付ける場合、いずれの部材も化粧材３０の場合と同様、先に回転中心部３７を支点部２１５に係止させた状態で、当接部４２２を係止部２１４に係止させることにより行う。ただし、化粧材３０Ａ、３０Ｂのうち、シール材５１が仮止めされている部材を先に取付部材２０に取り付ける。
【００９０】
本実施形態の構成では、化粧材３０Ｂは、化粧材３０Ａを取り外すことにより、初めてドライバー６０等を第一収納部３３１内に挿入することが可能となる。すなわち、本発明は、必ずしも、常時、弾性変形部４２１を弾性変形させるように操作できる構成にする必要はなく、少なくとも化粧材３０を取り外すときにおいて弾性変形部４２１を弾性変形させるように操作できる構成にすればよい。
【００９１】
その他実施形態
（一）  化粧材３０の取付部材２０に対する着脱は、必ずしも被係止部材４０を弾性変形させることによって行う必要はない。例えば、取付部材２０を弾性変形可能とする素材で構成し、取付部材２０を弾性変形させることにより、取付部材２０の係止部と被係止部材４０の被係止部との係止を行ったり、この係止を解除する動作を行ったりして、化粧材３０の取付部材２０に対する着脱を行ってもよい。また、取付部材２０、被係止部材４０共に弾性変形可能な構成とし、共に弾性変形させることにより、前記係止の脱着を行う構成にしてもよい。
【００９２】
（二）  本発明においては、必ずしも被係止部材４０を取り付ける必要はなく、化粧材３０の裏面３２に直接被係止部を形成し、この被係止部に取付部材２０の係止部が係止されるようにしてもよい。この場合、化粧材３０そのものを弾性変形可能な素材で形成することにより前記被係止部を弾性変形可能な構成とし、前記係止部と被係止部との係止の脱着を行うことも可能であるが、前述のように、取付部材２０を弾性変形可能な素材で構成することにより、前記係止部と前記被係止部との脱着を可能にする構成にしてもよい。
【００９３】
（三）  固定補助部２２は、必ずしも、嵌合突起３５を嵌合する形態にする必要はなく、前記係止部と前記被係止部との係止を維持するための弾性復帰力を確保できる構成であればよい。例えば、図１における固定補助部２２は、化粧材３０が図において上方に移動することを阻止するものであればよく、挟持部２２２を形成する代わりに単なる突起部を設け、この突起に嵌合突起３５が下から圧接する構成としてもよい。
【００９４】
また、固定補助部２２を設けなくても、取付部材２０の端部２１２、２１３が直接的に第一収納部３３１及び第三収納部３３３の壁面に対し圧接することにより、化粧材３０が図において上下方向に移動するのを阻止するようにしてもよい。
【００９５】
（四）  本発明は、例えば、第一収納部３３１の内壁に、化粧材３０の外部から突出量の調節が可能な突起部を形成し、この突起部の突起量を大きくした際、当該突起部の先端が前記圧接部４２３に圧接して弾性変形部４２１を弾性変形させることにより、係止部２１４と挟持部４１２との係止が解除される構成にしてもよい。もっとも、前述のように工具を挿入する貫通孔３６を形成することにより弾性変形部４２１を弾性変形させることを可能にする構成にしたほうが、構成を簡素化することが出来、コストダウンを図ることが可能となる。
【００９６】
（五）  本発明において、前記係止部と被係止部との係止の着脱は、必ずしも前記工具により前記被係止部又は前記係止部が押されることにより行われるようにする必要はなく、前記被係止部又は前記係止部が引っ張られることにより行われるようにしてもよい。もっとも、既述の構成のように、前記係止部と被係止部との係止の着脱が、前記工具により前記被係止部又は前記係止部が押されていることにより行われるようにすると、より簡単な操作で前記被係止部又は前記係止部を弾性変形させることが可能となる点で、より好ましい。
【図面の簡単な説明】
【００９７】
【図１】本発明の第一実施形態にかかる化粧材の取付構造の概略を示した断面図である。
【図２】本発明の第一実施形態にかかる化粧材の取付構造に使用する取付部材を示したものであって、（ａ）はこの取付部材の左側面、（ｂ）はこの取付部材の正面図である。
【図３】本発明の第一実施形態にかかる化粧材の取付構造に使用する化粧材を示した断面図である。
【図４】本発明の第一実施形態にかかる化粧材の取付構造に使用する被係止部材を示したものであって、（ａ）はこの被係止部材の正面図、（ｂ）はこの被係止部材の右側面図である。
【図５】（ａ）、（ｂ）は、本発明の第一実施形態にかかる化粧材の取付構造において、前記化粧材を建築物の躯体から取り外す手順を示した断面図である。
【図６】（ａ）、（ｂ）は、本発明の第一実施形態にかかる化粧材の取付構造において、前記化粧材を建築物の躯体に取り付けるための手順を示した断面図である。
【図７】本発明の第二実施形態にかかる化粧材の取付構造の概略を示した断面図である。
【図８】従来の化粧材の取付構造の概略を示した断面図である。
【符号の説明】
【００９８】
１    躯体
２０  取付部材
２１１  固定部
２１４  係止部
２１５  支点部
２２  固定補助部
３０  化粧材
３６  貫通孔（挿通部）
３９ａ、３９ｂ  側壁（壁）
４０  被係止部材（被係止部が形成された部材）
４２  アーム（被係止部）
６０  ドライバー（工具）
【図１】
2005220713.tif 000003
【図２】
2005220713.tif 000004
【図３】
2005220713.tif 000005
【図４】
2005220713.tif 000006
【図５】
2005220713.tif 000007
【図６】
2005220713.tif 000008
【図７】
2005220713.tif 000009
【図８】
2005220713.tif 000010